(57)【要約】      （修正有）【課題】投稿資料を電子化保存する際に、作成時間が短縮され、圧縮された資料を得ることが可能な投稿資料の電子化手法を提供する。【解決手段】投稿資料のスキャニングを除去し、その投稿資料のスキャニングをコピー［すべての選択］により、代行可能とする。【選択図】図１
2017120604.tif 000002
【特許請求の範囲】
【請求項１】
投稿資料をスキャニングし、電子化保存する事により「作業スペースを広げ」、書類の検索を迅速にされている投稿資料の電子化システムにおいて、その投稿資料のスキャニング操作を除去したことを特徴とする投稿資料電子化システム。
【請求項２】
請求項１記載の電子化システムにおいて、電子化システムを構成するスキャニング機構に代わり、コピー「すべて選択機能」を用いる事を特徴とする投稿資料電子化システム。
【請求項３】
請求項１、請求項２記載の電子化システムにおいて、電子化システムを構成する画像において、その画像電圧を基準値（＋２５―２５）ｍＶ以内にある事を特徴とする投稿資料電子化システム。
【発明の詳細な説明】
【技術分野】
【０００１】本発明は、投稿資料の電子化により、投稿資料の小型化、軽量化及び低コストに関するものである。
【背景技術】
【０００２】投稿資料は山積みされた紙資料の中で、紙資料をスキャニングし、電子化保存する事により「作業スペースを広げ」、書類の検索を迅速にされている。特許文献１，特許文献２において、文書管理システム及びその方法が開示され、一部試作結果も報告されている。また方式的観点からは電子化システムとしては、特許文献３および特許文献４等において、その構成が開示され、試作結果も報告されている。また非特許文献としては国立国会図書館の対応が注目されている。
【先行技術文献】
【特許文献】
【０００３】
【特許文献１】特開２００８−２０９７４号公報
【特許文献２】特開２００９−９３６０６号公報
【特許文献３】特開２００７−３０４９７７号公報
【特許文献４】特開２０１３−４５２５１号公報
【非特許文献】
【０００４】
【非特許文献１】国立国会図書館資料デジタル化手引き（２０１１年版）
【発明の概要】
投稿資料には［近況］［写真／動画］［クーボン、イベントなど］の３種類がある。
投稿の基本は［近況］を使い、機能としては、１近況、２写真／動画  ３クーポン、イベントなど、４ユーザーがアクションをしやすい投稿、５この記事に関連した記事等がある。本発明においては、上記、山積みされる紙資料の基になる投稿資料において、投稿資料について検討し、その構成法について一方法を示す。
【発明が解決しようとする課題】
【０００５】投稿資料は山積みされた紙資料の中で、紙資料をスキャニング（コピー）し、電子化保存する事により［作業スペースを広げ］、書類の検索を迅速にされている。従来、紙資料をスキャニングニングは、図３の黒枠部をスキャニングまたはコピーし、画像部を中心とする必要な情報を取得していた。したがって情報の取得には作成時間には多くの時間を有した。特許文献１において、文書管理システム及びその方法が開示され、その実施構成結果も報告されている。その投稿資料をスキャニング（コピー）し、電子化保存において、作成時間が短縮され、圧縮された資料を得るのが本発明の課題である。（以下スキャニングはコピーを含む言葉とする）。また、投稿資料を構成する画像の電気特性により、その電気特性値を定めることにより、投稿資料の軽量化、小型化および低コスト化が早期段階から類推可能になる。今後画像すべてを回路で、一つの回路を構成し、その系の最適化を検討する事が可能と想定される。
【課題を解決するための手段】
【０００６】本発明はその投稿資料をスキャニングし電子化保存において作成時間が短縮され圧縮された資料工程において、投稿資料のスキャニングを除去し、その投稿資料のスキャニングをコピー［すべての選択］により、代行可能なことを見出した事である。投稿資料をスキャニングし電子化保存において作成した画像と、投稿資料のスキャニングを除去し、その投稿資料のスキャニングをコピー［すべての選択］により、得られた画像は同じである事は確認している。また、コピー［すべての選択］により得られた投稿資料の画像部の電圧はある特徴を有する事を発見したことである。前記二つの課題解決手法で、作成時間が短縮され、圧縮された資料および低コスト資料を得るのが本発明の手段である。
【発明の効果】
【０００７】本発明によれば、投稿資料をスキャニング機構に代わり、すべて選択機能を有する事を特徴とする投稿資料の電子化システムにより、仕様に満足する画像を短時間に得られ、電子化保存用資料の作成時間が短縮され、圧縮された資料を得る事が特徴である。
【図面の簡単な説明】
【０００８】
【図１】写真１は本発明の測定される画像及び測定点である。
【図２】写真２は本発明の画像の比較測定用画像である。
【図３】写真３は本発明を説明のための全体図である。
【発明を実施するための形態】
【０００９】
【実施例】
【００１０】  表１に、本発明の示す投稿資料のスキャニングをコピー「すべての選択」により得られた１０枚のＷＯＲＤ紙の画像で、図１に示す画像は表１においてはＮＯ−１に示されている。各数値は、図１に相当する点において、テスターにより、接地点との間の電圧を測定したものである。興味は中心点の電圧であるが、この場合平均は縦方向＝４．７７ｍＶ、３σ＝１０．４ｍＶ，の設定値内で、横方向＝４．８３ｍＶ、３σ＝３．５２ｍＶ，でありバランスは取れている。このサンプル数値１０個は現時点では（２５−２５）ｍＶの範囲内にあるので、問題ないと判断されるが、バラツキ３σ値は各サンプルで異なる値になっています。コピー「すべての選択」によって得られた値で、従来スキャニングで得られる値と略同じ値であるので、製作時間はゼロに近い値である。また、投稿資料の画像電圧が判ることにより、その電圧値により、投稿資料を分類が出来、分類時間の短縮及び投稿資料階層化が可能な事が本実施例の特徴である。
【表１】
2017120604.tif 000003
表１の１０個画像電圧値が他の画像とどの位の値を比較するため、図２に示す、デジカメ撮影画像の画像電圧値を同じテスターで測定した結果を表２に示します。この値から測定値は全般的に高い値を示している。この電圧値は紙の材料及びインクの特性により決まると想定される。撮影画像の印刷用紙の特性そのインクの特性で、この場合は厚くて、高級なインクを用いていると想定される。上記関係から画像電圧は大きく変化が可能で、それを利用しての特性改善も可能で、また今までにない投稿資料もできる。
【表２】
2017120604.tif 000004
比較
ここで、ＷＯＲＤ画像の電圧各部の電圧値、及びその電圧値のデジカメ画像との比較から投稿資料の仕様規格を満足する画像を短時間に得られ、電子化保存用資料の作成時間が短縮され、圧縮された投稿資料を得る事が特徴である。【００１１】前記実施例で示した如く、前述した課題を解決し、目的を達成するため、請求項１に、投稿資料をスキャニングし、電子化保存する事により「作業スペースを広げ」、書類の検索を迅速にされている。その投稿資料のスキャニング操作を除去し、電子化保存において作成時間が短縮さ、圧縮された資料を得るのが特徴である。該電子化システムにおいて、投稿資料をスキャニング機構に代わり、すべて選択機能を有し、更に該電子化システムを構成する画像において、その構成電圧を基準値の（＋２５‐２５）ｍＶ以内にある事を特徴とする電子化システムである。
【発明の効果】
【００１２】本発明によれば、投稿資料をスキャニング機構に代わり、すべて選択機能を有する事を特徴とする投稿資料の電子化システムにより、仕様に満足する画像を短時間に得られ、電子化保存用資料の作成時間が短縮され、圧縮された資料を得る事が特徴である。
【産業上の利用可能性】
【００１３】以上要するに、本発明によれば、本発明はその投稿資料をスキャニングし電子化保存において作成時間が短縮され圧縮された資料工程において、投稿資料のスキャニングを除去し、その投稿資料のスキャニングをコピー「すべての選択」により、代行可能なことを見出した事である。これによりスキャニングがゼロに近い値になる。
また、コピー「すべての選択」により得られた投稿資料の画像部の電圧はある特徴を有する事を発見したことである。これにより画像の質が一定になる。
【符号の説明】
【００１４】［表１用語説明］
［中央］画像の中央部測定点。
［左］画像の左部測定点。
［右］画像の右部測定点。
［上］画像の奥部測定点。
［下］画像の手前部測定点。
【図１】
2017120604.tif 000005
【図２】
2017120604.tif 000006
【図３】
2017120604.tif 000007